(57)【要約】【課題】小型化し得る入力切換装置を提案する。【解決手段】本発明は、多極プラグに対応するコネクタに配された複数のコネクタ端子のうち、所定の入力デバイスが接続される一のプラグ端子に対応するコネクタ端子に結線された信号入力ラインと、該信号入力ラインを介して入力デバイスに電圧を供給する電圧供給ラインとの間に抵抗を設けるとともに、該信号入力ラインにおける電圧変化により多極プラグにおける接続の有無を検出する検出手段を信号入力ラインに結線する。また、抵抗の電圧供給ライン側の接続点と、電圧供給ライン上に配された電圧の調整抵抗との間に開放スイッチを設けるとともに、検出手段により多極プラグの接続が検出された以降に、開放スイッチを閉じるように該開放スイッチを制御する制御手段を設ける。【選択図】図１５
2008091255.tif 000002
【特許請求の範囲】
【請求項１】
多極プラグに対応するコネクタに配された複数のコネクタ端子のうち、所定の入力デバイスが接続される一のプラグ端子に対応するコネクタ端子に結線された信号入力ラインと、該信号入力ラインを介して上記入力デバイスに電圧を供給する電圧供給ラインとの間に設けられた抵抗と、
上記信号入力ラインに結線され、該信号入力ラインにおける電圧変化により上記多極プラグにおける接続の有無を検出する検出手段と、
上記抵抗の上記電圧供給ライン側の接続点と、上記電圧供給ラインに配された上記電圧の調整抵抗との間に設けられた開放スイッチと、
上記検出手段により上記多極プラグの接続が検出された以降に、上記開放スイッチを閉じるように、該開放スイッチを制御する制御手段と
を具えることを特徴とする入力切換装置。
【請求項２】
上記抵抗の抵抗値は、
上記入力デバイスにおける抵抗値と、上記検出手段に対して電圧変化の検出閾値として設定されたハイレベル及びローレベルのレベル比とを乗算した結果得られる値以上、上記検出手段における抵抗値と、上記レベル比とを除算した結果得られる値以下の範囲内に選定された
ことを特徴とする請求項１に記載の入力切換装置。
【請求項３】
上記信号入力ラインは、
マイクロホンが接続される一のプラグ端子に対応するコネクタ端子に結線された音声入力ラインである
ことを特徴とする請求項１に記載の入力切換装置。
【請求項４】
上記制御手段は、
上記検出手段により上記音声入力源の接続が検出された以降に、ノイズキャンセリング対応のイヤホン又はヘッドホンが接続されていることを表すアイコンを表示するように、表示手段を制御する
ことを特徴とする請求項３に記載の入力切換装置。
【請求項５】
上記制御手段は、
上記検出手段により上記多極プラグの接続が検出された以降に、フィルタ処理手段に対して、ノイズキャンセリング対応の周波数特性でなるフィルタ係数を設定するように、上記フィルタ処理手段を制御する
ことを特徴とする請求項３に記載の入力切換装置。
【請求項６】
多極プラグに対応するコネクタに配された複数のコネクタ端子のうち、所定の入力デバイスが接続される一のプラグ端子に対応するコネクタ端子に結線された信号入力ラインにおける電圧変化を検出する第１のステップと、
上記電圧変化により上記多極プラグにおける接続が検出された以降に、上記信号入力ラインを介して上記入力デバイスに電圧を供給する電圧供給ライン上に配された該電圧の調整抵抗と、上記電圧供給ライン及び上記信号入力ライン間に有する抵抗における電圧供給ライン側の接続点との間に設けられた開放スイッチを、閉じるように制御する第２のステップと
を具えることを特徴とする入力切換方法。
【請求項７】
コンピュータに対して、
多極プラグに対応するコネクタに配された複数のコネクタ端子のうち、所定の入力デバイスが接続される一のプラグ端子に対応するコネクタ端子に結線された信号入力ラインにおける電圧変化により上記多極プラグにおける接続の有無を検出する検出手段から、上記多極プラグにおける接続が検出された旨の通知を待ち受けること、
上記通知を受けた以降に、上記信号入力ラインを介して上記入力デバイスに電圧を供給する電圧供給ライン上に配された該電圧の調整抵抗と、上記電圧供給ライン及び上記信号入力ライン間に有する抵抗における電圧供給ライン側の接続点との間に設けられた開放スイッチを閉じること
を実行させることを特徴とするプログラム。
【発明の詳細な説明】
【技術分野】
【０００１】
本発明は入力切換装置、入力切換方法及びプログラムに関し、例えば音楽再生装置に適用して好適なものである。
【背景技術】
【０００２】
従来、ノイズキャンセリング機能が搭載された音楽再生装置が提案されている。この音楽再生装置に対して接続されるイヤホン又はヘッドホンには、当該イヤホン又はヘッドホン周辺の音をノイズ音として集音するマイクロホンが搭載される。
【０００３】
この音楽再生装置に対してマイクロホンが搭載されたイヤホン又はヘッドホンが接続されたときと、該マイクロホンが非搭載の通常のイヤホン又はヘッドホンが接続されたときとに応じて、ノイズキャンセリング機能をオンオフする場合、あるいは、この音楽再生装置にスピーカが搭載されており、該音楽再生装置に対してマイクロホンが搭載されたイヤホン又はヘッドホンが接続されたときと、該マイクロホンが非搭載の通常のイヤホン又はヘッドホンが接続されたときとに応じて、音声信号の出力先を切り換える場合など、イヤホン又はヘッドホンの接続の有無を検出することがある。
【０００４】
このイヤホン又はヘッドホンの接続の有無を検出するものとして、Ｆ型コネクタに関する接続検出システムがある（例えば特許文献１参照）。
【特許文献１】特開２００６−１６４６６９公報
【発明の開示】
【発明が解決しようとする課題】
【０００５】
ところでかかる構成の接続検出システムにおいては、接続用の検出端子をＦ型コネクタに独立に設けるとともに、該検出端子に対応する検出回路を本体に設けるため、装置全体として大型化するという問題があった。
【０００６】
本発明は以上の点を考慮してなされたもので、小型化し得る入力切換装置、入力切換方法及びプログラムを提案しようとするものである。
【課題を解決するための手段】
【０００７】
かかる課題を解決するため本発明は、入力切換装置であって、多極プラグに対応するコネクタに配された複数のコネクタ端子のうち、所定の入力デバイスが接続される一のプラグ端子に対応するコネクタ端子に結線された信号入力ラインと、該信号入力ラインを介して入力デバイスに電圧を供給する電圧供給ラインとの間に抵抗を設けるとともに、該信号入力ラインにおける電圧変化により多極プラグにおける接続の有無を検出する検出手段を信号入力ラインに結線する。また、抵抗の電圧供給ライン側の接続点と、電圧供給ライン上に配された電圧の調整抵抗との間に開放スイッチを設けるとともに、検出手段により多極プラグの接続が検出された以降に、開放スイッチを閉じるように該開放スイッチを制御する制御手段を設けるようにした。
【０００８】
また本発明は、入力切換方法であって、多極プラグに対応するコネクタに配された複数のコネクタ端子のうち、所定の入力デバイスが接続される一のプラグ端子に対応するコネクタ端子に結線された信号入力ラインにおける電圧変化を検出し、その電圧変化により多極プラグにおける接続が検出された以降に、信号入力ラインを介して入力デバイスに電圧を供給する電圧供給ライン上に配された該電圧の調整抵抗と、電圧供給ライン及び信号入力ライン間に有する抵抗における電圧供給ライン側の接続点との間に設けられた開放スイッチを閉じるようにした。
【０００９】
さらに本発明は、プログラムであって、多極プラグに対応するコネクタに配された複数のコネクタ端子のうち、所定の入力デバイスが接続される一のプラグ端子に対応するコネクタ端子に結線された信号入力ラインにおける電圧変化により多極プラグにおける接続の有無を検出する検出手段から、多極プラグにおける接続が検出された旨の通知を待ち受けること、通知を受けた以降に、信号入力ラインを介して入力デバイスに電圧を供給する電圧供給ライン上に配された該電圧の調整抵抗と、電圧供給ライン及び信号入力ライン間に有する抵抗における電圧供給ライン側の接続点との間に設けられた開放スイッチを閉じることを、コンピュータに対して実行させるようにした。
【発明の効果】
【００１０】
本発明では、開放スイッチが閉じられていない場合、電圧供給ラインから抵抗を介して信号入力ラインに供給される電圧の電圧変化により多極プラグの接続の有無を検出する一方、開放スイッチが閉じられた場合には、当該電圧を、信号入力ライン及び電圧供給ライン間の抵抗と調整抵抗との分圧により基準電圧として、入力デバイスに供給するとともに、該入力デバイスから供給される入力信号を入力することができるようになる。つまり、信号入力ラインを、多極プラグの接続の有無を検出するラインとして共用することができる。したがって、本発明では、独立した接続検出用の端子を多極プラグに別途を設けることなく、多極プラグの接続の有無を検出することができ、かくして小型化し得る入力切換装置、入力切換方法及びプログラムを実現できる。
【発明を実施するための最良の形態】
【００１１】
以下図面について本発明の一実施の形態を詳述する。
【００１２】
（１）携帯音楽プレーヤの外観構成
図１において、本実施の形態による携帯型の音楽再生装置（以下、これを携帯音楽プレーヤと呼ぶ）の外観構成を示す。この携帯音楽プレーヤ１は、丸みを帯びた略直方体形状として形成され、片手で把持できる程度の大きさとなっている。
【００１３】
この携帯音楽プレーヤ１の筺体表面には、各種操作ボタンや表示部ＤＰなどが設けられている。また、この携帯音楽プレーヤ１の所定位置にはジャックＪＡＫが設けられており、該ジャックＪＡＫには、マイクロホンを搭載したイヤホン（以下、これをマイク付イヤホンと呼ぶ）ＥＰ１、ＥＰ２から引き回される接続コードＣＤの先端に設けられたプラグＰＬＧが接続される。
【００１４】
（２）プラグ及びジャックの構成
このプラグＰＬＧ及びジャックＪＡＫは、標準ミニプラグ規格に対応させて形成されている。このプラグＰＬＧとジャックＪＡＫの構成を以下説明する。
【００１５】
（２−１）プラグの構成
このプラグＰＬＧは、図２乃至図６に示すように、第１の導体１１、第１の絶縁体１２、第２の導体１３、第２の絶縁体１４、第３の導体１５、第３の絶縁体１６、第４の導体１７、第４の絶縁体１８及び第５の導体１９によって構成されている。
【００１６】
第１の導体１１、第２の導体１３、第３の導体１５、第４の導体１７及び第５の導体１９は、何れも導電性の高い金属材料によって形成され、第１の絶縁体１２、第２の絶縁体１４、第３の絶縁体１６及び第４の絶縁体１８は何れも樹脂材料等の導電性を有しない材料によって形成されている。
【００１７】
この実施の形態の場合、第１の導体１１は左（又は右）スピーカの端子として割り当てられ、第２の導体１３は右（又は左）スピーカの端子として割り当てられる。また、第３の導体１５はグランドの端子として割り当てられる。さらに、第４の導体１７は左（又は右）マイクの端子として割り当てられ、第５の導体１８は右（又は左）マイクの端子として割り当てられる。
【００１８】
第１の導体１１は略丸軸状に形成され、大径の電極部１１ａと小径の嵌合部１１ｂとを有している。第１の導体１１には、電極部１１ａと嵌合部１１ｂの間に外方へ張り出されたフランジ部１１ｃが設けられ、嵌合部１１ｂのフランジ部１１ｃと反対側の端部にコード接続部１１ｄが設けられている。
【００１９】
電極部１１ａの外周面は嵌合部１１ｂに近付くに従って中心側へ変位するように傾斜された傾斜面１１ｅとして形成されている。嵌合部１１ｂは軸方向における長さが電極部１１ａより長くされている。コード接続部１１ｄは、その径が電極部１１ａの径より小さく嵌合部１１ｂの径より大きくされている。
【００２０】
第１の絶縁体１２は略円筒状に形成され、軸方向における一端部が他の部分より外径の大きな大径部１２ａとして設けられ、該大径部１２ａ以外の部分が小径部１２ｂとして設けられている。大径部１２ａは小径部１２ｂより肉厚に形成されている。小径部１２ｂの大径部１２ａと反対側の端部は外方へ僅かに張り出された張出部１２ｃとされ、大径部１２ａと張出部１２ｃの間における外面側に浅い嵌合凹部１２ｄが形成されている。
【００２１】
第１の絶縁体１２は第１の導体１１の嵌合部１１ｂに外嵌されている。第１の絶縁体１２は第１の導体１１に外嵌された状態において、大径部１２ａの外周面がフランジ部１１ｃの外周面と放射方向において一致されている。第１の導体１１は電極部１１ａ、フランジ部１１ｃ及びコード接続部１１ｄが露出されている。
【００２２】
第２の導体１３は略円筒状に形成され、大径の電極部１３ａと小径の嵌合部１３ｂとを有している。第１の導体１３には、電極部１３ａと嵌合部１３ｂとを連結する略円環状に形成された連結部１３ｃが設けられ、嵌合部１３ｂの連結部１３ｃと反対側の端部はコード接続部１３ｄとして設けられている。
【００２３】
第２の導体１３は第１の絶縁体１２に外嵌されている。第２の導体１３は第１の絶縁体１２に外嵌された状態において、電極部１３ａが大径部１２ａの一端部を除く部分に結合され、嵌合部１３ｂ及び連結部１３ｃが嵌合凹部１２ｄに結合され、嵌合部１３ｂの外周面が張出部１２ｃの外周面と放射方向において一致されている。従って、第２の絶縁体１２は大径部１２ａの一部と張出部１２ｃとが露出されている。
【００２４】
第２の絶縁体１４は略円筒状に形成され、軸方向における一端部が他の部分より外径の大きな大径部１４ａとして設けられ、該大径部１４ａ以外の部分が小径部１４ｂとして設けられている。大径部１４ａは小径部１４ｂより肉厚に形成されている。小径部１４ｂの大径部１４ａと反対側の端部は外方へ僅かに張り出された張出部１４ｃとされ、大径部１４ａと張出部１４ｃの間における外面側に浅い嵌合凹部１４ｄが形成されている。
【００２５】
第２の絶縁体１４は第２の導体１３の嵌合部１３ｂに外嵌されている。第２の絶縁体１４は第２の導体１３に外嵌された状態において、大径部１４ａの外周面が電極部１３ａの外周面と放射方向において一致されている。第２の導体１３は電極部１３ａとコード接続部１３ｄが露出されている。
【００２６】
第３の導体１５は略円筒状に形成され、大径の電極部１５ａと小径の嵌合部１５ｂとを有している。第１の導体１５には、電極部１５ａと嵌合部１５ｂとを連結する略円環状に形成された連結部１５ｃが設けられ、嵌合部１５ｂの連結部１５ｃと反対側の端部はコード接続部１５ｄとして設けられている。 
【００２７】
第３の導体１５は第２の絶縁体１４に外嵌されている。第３の導体１５は第２の絶縁体１４に外嵌された状態において、嵌合凹部１４ｄに結合され、電極部１５ａの外周面が大径部１４ａの外周面と放射方向において一致され、嵌合部１５ｂの外周面が張出部１４ｃの外周面と放射方向において一致されている。従って、第２の絶縁体１４は大径部１４ａと張出部１４ｃとが露出されている。
【００２８】
第３の絶縁体１６は略円筒状に形成され、軸方向における一端部が外径の大きな大径部１６ａとして設けられ、軸方向において大径部１６ａに連続する部分が小径部１６ｂとして設けられ、軸方向における他端部が小径部１６ｂより外径の大きな張出部１６ｃとして設けられている。大径部１６ａと張出部１６ｃは小径部１６ｂより肉厚に形成されている。第３の絶縁体１６には大径部１６ａと張出部１６ｃの間における外面側に浅い嵌合凹部１６ｄが形成されている。
【００２９】
第３の絶縁体１６は第３の導体１５の嵌合部１５ｂに外嵌されている。第３の絶縁体１６は第３の導体１５に外嵌された状態において、大径部１６ａと張出部１６ｃの外周面が電極部１５ａの外周面と放射方向において一致されている。第３の導体１５は電極部１５ａとコード接続部１５ｄが露出されている。
【００３０】
第４の導体１７は略円筒状に形成され、電極部１７ａと該電極部１７ａの軸方向における中央部の外周面に外方へ突出して設けられた円環状の突部１７ｂとから成る。電極部１７ａの一部はコード接続部１７ｃとして設けられている。
【００３１】
第４の導体１７は第３の絶縁体１６の嵌合凹部１６ｄに外嵌されている。第４の導体１７は第３の絶縁体１６に外嵌された状態において、電極部１７ａの外周面が大径部１６ａの外周面と張出部１６ｃの外周面とに放射方向において一致されている。従って、第３の絶縁体１６は大径部１６ａと張出部１６ｃとが露出されている。
【００３２】
第４の絶縁体１８は導体取付部２０と延設部２１とが一体に形成されて成る（図４及び 図６参照）。
【００３３】
導体取付部２０は一方向に長く形成され、図７に示すように、本体部２０ａと該本体部２０ａの長手方向における一端部から短手方向へ互いに反対側へ突出された突出部２０ｂ、２０ｂとから成る。本体部２０ａには、長手方向に延びる導体取付溝２０ｃが形成され、該導体取付溝２０ｃが形成された面と反対側の面に短手方向へ延びる嵌合溝２０ｄが形成されている。延設部２１は導体取付部２０の長手方向における一端面から突出部２０ｂ、２０ｂの突出方向と直交する方向へ突出されている。
【００３４】
第４の絶縁体１８は、導体取付部２０が第３の絶縁体１４の大径部１４ａから張出部１４ｃまでに亘る部分の外周面の一部に取り付けられ、延設部２１が第３の導体１５のコード接続部１５ｄから第１の絶縁体１２の張出部１２ｃまでに亘る部分の外周面の一部に取り付けられている。このように第４の絶縁体１８が取り付けられた状態においては、嵌合溝２０ｄに第４の導体１７の突部１７ｂが嵌合され、導体取付部２０が延設部２１より外周側に位置されている。
【００３５】
第５の導体１９は一方向に長い板状に形成され、長手方向における中間部に互いに反対方向へ突出された規制突片１９ａ、１９ａを有している。第５の導体１９は、規制突片１９ａ、１９ａを基準として一方の側が挿入部１９ｂとされ、他方の側がコード接続部１９ｃとされている。挿入部１９ｂにおけるコード接続部１９ｃと反対側の端部には厚み方向へ突出された接続用突部１９ｄが設けられている。
【００３６】
第５の導体１９は挿入部１９ｂが導体取付溝２０ｃに挿入されて第４の絶縁体１８に取り付けられる（図３参照）。第５の導体１９は第４の絶縁体１８に取り付けられた状態において、規制突片１９ａ、１９ａが本体部２０ａの一端面に接し、コード接続部１９ｃが延設部２１より外周側に離隔して位置されている（図４参照）。
【００３７】
以上のようにして構成されたプラグ５では、図５及び図６に示すように、第１の導体１１のコード接続部１１ｄ、第２の導体１３のコード接続部１３ｄ、第３の導体１５のコード接続部１５ｄ、第４の導体１７のコード接続部１７ｃ及び第５の導体１９のコード接続部１９ｃに、対応する接続コードＣＤａ、ＣＤｂ、ＣＤｃ、ＣＤｄ、ＣＤｅの一端が、例えば、半田付けによりそれぞれ接続される。
【００３８】
これら接続コードＣＤａ、ＣＤｂ、ＣＤｃ、ＣＤｄ、ＣＤｅの他端は、マイク付イヤホンＥＰ１（図１）のスピーカＳＫ１（図１）、マイク付イヤホンＥＰ２（図１）のスピーカＳＫ２（図１）、マイク付イヤホンＥＲ１、ＥＲ２におけるグランド端子（図示せず）、マイク付イヤホンＥＰ１（図１）のマイクロホンＭＣ１（図１）、イク付イヤホンＥＰ２（図１）のマイクロホンＭＣ２（図１）にそれぞれ接続される。
【００３９】
ちなみに、これら接続コードＣＤａ、ＣＤｂ、ＣＤｃ、ＣＤｄ、ＣＤｅは、第４の導体１７の突部１７ｂから第１の導体１１のコード接続部１１ｄまでに亘る部分がカバー１０によって覆われ、コード接続部１１ｄ、１３ｄ、１５ｄ、１７ｃ、１９ｃが閉塞される（図２参照）。
【００４０】
（２−２）ジャックの構成
次に、このプラグＰＬＧに対応するジャックＪＡＫの構成を説明する。図８に示すように、このジャックＪＡＫは、筐体２４を有し、この携帯音楽プレーヤ１の所定位置に取り付けられている。
【００４１】
この筐体２４には一方に開口されたプラグ挿入孔２４ａが形成されている。ジャックＪＡＫにおけるプラグ挿入孔２４ａの開口と反対側の端部からは、５つの端子片２５が突出されている。端子片２５はこの携帯音楽プレーヤ１内部の電子回路に接続されている。
【００４２】
この筐体２４の内部には、図９及び図１０に示すように、第１の接続端子２６、第２の接続端子２７、第３の接続端子２８、第４の接続端子２９及び第５の接続端子３０が配置されている。
【００４３】
第１の接続端子２６（図９参照）は、ジャックＪＡＫの内面に沿って配置されたベース部２６ａと、該ベース部２６ａから折り返されプラグ挿入孔２４ａから遠去かる方向へ延びる基端部２６ｂと、該基端部２６ｂに連続し基端部２６ｂに対してベース部２６ａから離隔する方向へ屈曲された板バネ部２６ｃとを有し、該板バネ部２６ｃの先端部が接続部２６ｄとして設けられている。
【００４４】
第２の接続端子２７（図１０参照）は、ジャックＪＡＫの内面と平行な状態で配置された基端部２７ａと、該基端部２７ａに連続し基端部２７ａに対してジャックＪＡＫの内面から離隔する方向へ屈曲された板バネ部２７ｂとを有し、該板バネ部２７ｂの先端部が接続部２７ｃとして設けられている。接続部２７ｃは第１の接続端子２６の接続部２６ｄよりプラグ挿入孔２４ａ側に位置されている。
【００４５】
第３の接続端子２８（図９参照）は、ジャックＪＡＫの内面に沿って配置された基端部２８ａと、該基端部２８ａに連続し基端部２８ａに対してジャックＪＡＫの内面から離隔する方向へ屈曲された板バネ部２８ｂとを有し、該板バネ部２８ｂの先端部が接続部２８ｃとして設けられている。接続部２８ｃは第２の接続端子２７の接続部２７ｃよりプラグ挿入孔２４ａ側に位置されている。
【００４６】
第４の接続端子２９（図９及び図１０参照）は、ジャックＪＡＫの内面に沿って配置された基端部２９ａと、該基端部２９ａに連続し基端部２９ａに対してジャックＪＡＫの内面から離隔する方向へ屈曲された板バネ部２９ｂとを有し、該板バネ部２９ｂの先端部が接続部２９ｃとして設けられている。接続部２９ｃは第３の接続端子２８の接続部２８ｃよりプラグ挿入孔２４ａ側に位置され、該プラグ挿入孔２４ａの開口の直ぐ内側に位置されている。
【００４７】
第５の接続端子３０（図１０参照）は、ジャックＪＡＫの内面に沿って配置された基端部３０ａと、該基端部３０ａに連続し基端部３０ａに対してジャックＪＡＫの内面から離隔する方向へ屈曲された板バネ部３０ｂとを有し、該板バネ部３０ｂの先端部が接続部３０ｃとして設けられている。接続部３０ｃはプラグ挿入孔２４ａの開口の直ぐ内側に位置されている。
【００４８】
ジャックＪＡＫの内部にはストッパー壁３１が設けられている（図１０参照）。ストッパー壁３１は第５の接続端子３０の板バネ部３０ｂを挟んでジャックＪＡＫの内面と反対側に位置されている。
【００４９】
ジャックＪＡＫの内部には保持用絶縁部材３２が設けられている（図９及び図１０参照）。保持用絶縁部材３２はプラグ挿入孔２４ａの開口と反対側の端部に設けられている。
【００５０】
第１の接続端子２６、第２の接続端子２７、第３の接続端子２８、第４の接続端子２９及び第５の接続端子３０は、それぞれ一部が保持用絶縁部材３２に埋設されて保持され、端子片２５に各別に連続されている。従って、第１の接続端子２６、第２の接続端子２７、第３の接続端子２８、第４の接続端子２９及び第５の接続端子３０は、それぞれ端子片２５を介して、この携帯音楽プレーヤ１の内部の回路に接続されている。
【００５１】
（２−３）プラグ及びジャックの接続状態
このジャックＪＡＫのプラグ挿入孔２４ａにプラグＰＬＧが挿入された場合、図１１及び図１２に示すように、第１の導体１１の電極部１１ａ、第２の導体１３の電極部１３ａ、第３の導体１５の電極部１５ａ、第４の導体１７の電極部１７ａ及び第５の導体１９の接続用突部１９ａが、対応する左（又は右）スピーカ用の第１の接続端子２６の接続部２６ｄ、右（又は左）スピーカ用の第２の接続端子２７の接続部２７ｃ、グランド用の第３の接続端子２８の接続部２８ｃ、左（又は右）マイク用の第４の接続端子２９の接続部２９ｃ及び右（又は左）マイク用の第５の接続端子３０の接続部３０ｃに接続される。
【００５２】
このときプラグＰＬＧは第４の導体１７の突部１７ｂがジャックＪＡＫにおけるプラグ挿入孔２４ａの外側開口縁に接触すると共に第５の導体１９の挿入部１９ｂの一端面がストッパー壁３１に接触する位置まで挿入され、ジャックＪＡＫに対する挿入方向における位置決めが行われる。
【００５３】
接続部２６ｄ、２７ｃ、２８ｃ、２９ｃ、３０ｃはそれぞれ基端部２６ｂ、２７ａ、２８ａ、２９ａ、３０ａに対してバネ力に抗して弾性変形され、電極部１１ａ、電極部１３ａ、電極部１５ａ、電極部１７ａ、接続用突部１９ａに押し付けられた状態で接続される。
【００５４】
（３）携帯音楽プレーヤの回路構成
（３−１）携帯音楽プレーヤ全体の回路構成
次に、この携帯音楽プレーヤ１の回路構成として、該携帯音楽プレーヤ１全体の回路構成を説明する。図１３に示すように、この携帯音楽プレーヤ１は、当該携帯音楽プレーヤ１全体の制御を司る制御部５０に対して、操作部５１、データ記憶媒体５２、プラグ検出部５３、表示部ＤＰ及び信号処理部５４を接続することにより構成される。
【００５５】
制御部５０は、ＣＰＵ(Central Processing Unit)と、各種プログラムや設定データが格納されるＲＯＭ(Read Only Memory)と、当該ＣＰＵのワークメモリとして用いられるＲＡＭ(Random Access Memory)とを含むマイクロコンピュータとして構成される。
【００５６】
この制御部５０は、ＲＯＭに記憶されたプログラムに従い、操作部５１から与えられる制御データと、ＲＯＭに記憶された設定データとに基づいて、データ記憶媒体５２、表示部ＤＰ及び信号処理部５４を適宜制御する。
【００５７】
操作部５１は、この携帯音楽プレーヤ１の筺体表面に設けられた各種操作ボタンの操作に対応する制御データを生成し、これを制御部５０へ送出する。
【００５８】
データ記憶媒体５２は、例えばＥＥＰＲＯＭ（Electrically Erasable Programmable Read Only Memory）でなり、当該データ記憶媒体１２には、ディジタルオーディオ信号Ｄ１などの各種データが記憶される。
【００５９】
表示部ＤＰは、例えばＦＬ(Fluorescent Lamp)管として、この携帯音楽プレーヤ１の筺体表面に設けられており（図１参照）、制御部５０により生成された表示データに基づいて、例えば、再生内容、現時点で指定されている再生モードの状態、ノイズキャンセリング対応のイヤホン（又はヘッドホン）が接続されているか否か等を、文字や図形により表示する。
【００６０】
この表示部ＤＰに表示される表示画面例を図１４に示す。表示画面の左端には、現再生対象に関する画像ＩＭ又は設定データとしてＲＯＭに記憶されたサンプル画像（図示せず）が表示される。また、表示画面の中央上段には現再生対象のタイトル名、中央中段には現再生対象のアーティスト名、中央下段には現再生対象の再生時間が、図形及び文字により表示される。さらに、表示画面の右下端には、バッテリー容量に対する現時点での残量が、電池を模した図形により表示される。
【００６１】
一方、この電池を模した図形の左側には、シャッフル再生モードを表す図形ＡＣ１及びリピート再生モードを表す図形ＡＣ２が、また電池を模した図形の上側には、サラウンドモード及びその番号を表す図形ＡＣ３が、当該モードを指定した場合にそれぞれ表示される。
【００６２】
他方、図形ＡＣ３の上側には、ノイズキャンセリング対応のイヤホン（又はヘッドホン）が接続されていることを表す図形ＡＣ４が、該イヤホン（又はヘッドホン）が接続された場合に、当該図形ＡＣ４以外の文字及び図形とは異なる色で、表示される。したがって、この表示画面例では、ノイズキャンセリング対応のイヤホン（又はヘッドホン）が接続されていることを、着目させることができるようになされている。
【００６３】
プラグ検出部５３は、ジャックノイズキャンセリング対応のイヤホン（又はヘッドホン）のプラグＰＬＧにおける接続の有無を検出する。具体的には、ジャックＪＡＫに配される各接続端子２６、２７、２８、２９、３０（例えば図９及び図１０）のうち、マイク付イヤホンＭＰ１のマイクロホンＭＣ１から供給される音声信号を入力するための端子（マイク入力端子）２９に結線される信号線（以下、これを音声入力ラインと呼ぶ）の電圧変化により、ジャックノイズキャンセリング対応のイヤホン（又はヘッドホン）のプラグＰＬＧにおける接続の有無を検出する。
【００６４】
なお、ノイズキャンセリング非対応のイヤホン（又はヘッドホン）、つまりマイクロホンが搭載されていないイヤホン（又はヘッドホン）の標準ミニプラグが接続された場合、ジャックＪＡＫに配される各接続端子２６、２７、２８、２９、３０（例えば図９及び図１０）のうち、左右チャンネルのスピーカ用の接続端子２６、２７と、グランド用の接続端子２８だけがプラグ側の端子と接続することになる。
【００６５】
この場合、音声入力ラインＬＮ１には電圧変化が生じないため、プラグ検出部５３では、ジャックノイズキャンセリング対応のイヤホン（又はヘッドホン）のプラグＰＬＧが接続されていないことが検出されることとなる。
【００６６】
またプラグ検出部５３は、ジャックノイズキャンセリング対応のイヤホン（又はヘッドホン）のプラグＰＬＧの接続を検出しているときには、当該イヤホン（又はヘッドホン）が接続されていることを制御部５０に通知するようになされている。
【００６７】
信号処理部５４のＤＳＰ(Digital Signal Processor)５４Ａには、データ記憶媒体１２から再生されたディジタルオーディオ信号Ｄ１が入力される。また、ジャックＪＡＫに対してノイズキャンセリング対応のイヤホン（又はヘッドホン）のプラグＰＬＧが接続されている場合、ノイズキャンセリングモード対応の周波数特性を表す第１のフィルタ係数が設定データとして入力され、当該プラグＰＬＧが接続されていない場合、ノイズキャンセリングモード非対応の周波数特性を表す第２のフィルタ係数が設定データとして入力される。
【００６８】
ＤＳＰ５４Ａは、設定データとして入力される第１又は第２のフィルタ係数に基づいて、ディジタルオーディオ信号Ｄ１に対してフィルタ処理を施す。ちなみに、ディジタルオーディオ信号Ｄ１が圧縮されている場合、ＤＳＰ５４Ａは、当該圧縮方式に応じた伸長処理も施すようになされている。
【００６９】
また、ＤＳＰ５４Ａは、このフィルタ処理後にＤ／Ａ (Digital/Analog)変換処理を施し、この結果得られる左右チャンネルのアナログオーディオ信号Ｓ１を合成部５４Ｃに送出する。
【００７０】
一方、信号処理部５４のノイズキャンセリング信号生成部５４Ｂには、ジャックＪＡＫに対してノイズキャンセリング対応のイヤホン（又はヘッドホン）のプラグＰＬＧが接続されている場合、当該プラグＰＬＧを介して、マイク付イヤホンＥＰ１、ＥＰ２のマイクロホンＭＣ１、ＭＣ２（図１）から左右チャンネルの音声信号Ｓ２が入力される。
【００７１】
ノイズキャンセリング信号生成部５４Ｂは、入力される左右チャンネルの音声信号Ｓ２と逆位相の音声信号をそれぞれ生成し、これらをノイズキャンセリング信号Ｓ３として合成部５４Ｃに送出する。
【００７２】
合成部５４Ｃは、ＤＳＰ５４Ａから供給される左右チャンネルのアナログオーディオ信号Ｓ１と、ノイズキャンセリング信号生成部５４Ｂから供給される左右チャンネルのノイズキャンセリング信号Ｓ３とを対応するチャンネル単位で合成し、これら左右チャンネルの合成結果を音声出力信号Ｓ４として信号増幅部５４Ｄに送出する。
【００７３】
ちなみに、ノイズキャンセリング信号生成部５４Ｂからノイズキャンセリング信号Ｓ３が供給されない場合、つまりジャックＪＡＫに対してノイズキャンセリング非対応のイヤホン（又はヘッドホン）のプラグが接続されている場合には、ＤＳＰ５４Ａから供給されるアナログオーディオ信号Ｓ１が音声出力信号Ｓ４として信号増幅部５４Ｄに送出される。
【００７４】
信号増幅部５４Ｄは、操作部１１から与えられるボリューム制御データに基づいて、合成部５４Ｃから入力される音声出力信号Ｓ４を増幅し、これをジャックＪＡＫの対応する接続端子２６、２７（例えば図９及び図１０）に出力するようになされている。
【００７５】
（３−２）プラグ検出部の回路構成
次に、プラグ検出部５３の回路構成を説明する。図１５に示すように、このプラグ検出部５３は、抵抗５３Ａと、電圧検出回路５３Ｂと、スイッチ素子５３Ｃとによって構成される。
【００７６】
この抵抗５３Ａは、マイク付イヤホンＭＰ１のマイクロホンＭＣ１から供給される音声信号を入力するための端子（マイク入力端子）２９に結線される音声入力ラインＬＮ１と、該音声入力ラインＬＮ１に結線された電圧供給ラインＬＮ２との間に設けられている。
【００７７】
またこの抵抗５３Ａは、マイクロホンＭＣ１に対する基準電圧の調整用として電圧供給ラインＬＮ２上に配された調整抵抗ＲＸに対して、並列に接続される。
【００７８】
電圧検出回路５３Ｂは、音声入力ラインＬＮ１に結線され、音声入力ラインＬＮ１の電圧を監視するようになされている。
【００７９】
スイッチ素子５３Ｃは、電圧供給ラインＬＮ２上であって、抵抗５３Ａの接続点Ｐ１と、調整抵抗ＲＸとの間に設けられている。このスイッチ素子５３Ｃは、ノイズキャンセリング対応のイヤホン（又はヘッドホン）のプラグＰＬＧにおける接続の有無を検出するモード（以下、これを検出モードと呼ぶ）の場合には開状態とされ、マイクロホンＭＣ１から音声信号を入力するモード（以下、これを音声入力モードと呼ぶ）の場合には閉状態とされる。
【００８０】
ここで、スイッチ素子５３Ｃが開状態、つまり検出モードの状態において、ノイズキャンセリング対応のイヤホン（又はヘッドホン）のプラグＰＬＧが接続されていない場合、端子（マイク入力端子）２９は開放端となる。このため、携帯音楽プレーヤ１における電圧源から供給される電圧は、接続点Ｐ１から抵抗５３Ａを介して電圧検出回路５３Ｂに供給される。
【００８１】
これに対して、検出モードの状態においてノイズキャンセリング対応のイヤホン（又はヘッドホン）のプラグＰＬＧが接続されている場合、端子（マイク入力端子）２９はマイクロホンＭＣ１に接続されることになる。このため、携帯音楽プレーヤ１における電圧源から供給される電圧は、接続点Ｐ１から、抵抗５３Ａ及びマイクロホンＭＣ１を介してグランドに供給される。したがって、この場合、電圧検出回路５３Ｂに対して供給される電圧は降圧することとなる。
【００８２】
電圧検出回路５３Ｂには、この電圧変化の検出閾値としてハイレベル及びローレベルが設定されており、該電圧検出回路５３Ｂに供給される電圧がハイレベルを上回っている場合には、ノイズキャンセリング対応のイヤホン（又はヘッドホン）のプラグＰＬＧが接続されていないことを検出する。これに対して、ローレベルを下回っている場合には、ノイズキャンセリング対応のイヤホン（又はヘッドホン）のプラグＰＬＧが接続されていることを検出する。
【００８３】
また電圧検出回路５３Ｂは、ノイズキャンセリング対応のイヤホン（又はヘッドホン）のプラグＰＬＧが接続されているとき、つまり、この電圧検出回路５３Ｂに供給される電圧がローレベルを下回っているときに、接続通知データＤ２（図１３）を立ち上げ（又は立ち下げ）てオン状態とすることにより、制御部５０に対してプラグＰＬＧが接続されていることを通知する。
【００８４】
この実施の形態の場合、抵抗５３Ａの抵抗値は、マイクロホンＭＣ１における抵抗値と、電圧検出回路５３Ｂに対して電圧変化の検出閾値として設定されたハイレベル及びローレベルのレベル比との乗算値以上、かつ、電圧検出回路５３Ｂにおける抵抗値と、当該レベル比との除算値以下でなる範囲内に選定されている。実際上、この実施の形態における抵抗５３Ａの抵抗値は１００［ｋΩ］とされる。ちなみに、調整抵抗ＲＸは３［ｋΩ］とされる。
【００８５】
したがって、プラグ検出部５３は、ノイズキャンセリング対応のイヤホン（又はヘッドホン）のプラグＰＬＧが接続されている状態において、マイクロホンＭＣ１から端子（マイク入力端子）２９を介して音声入力ラインＬＮ１に音声信号が入力された場合に、その音声信号に基づく音声入力ラインＬＮ１の電圧変動に起因して、電圧検出回路５３ＢがプラグＰＬＧが接続されていないと誤検出するといった事態を未然に防止し得るようになされている。
【００８６】
また、プラグ検出部５３は、ノイズキャンセリング対応のイヤホン（又はヘッドホン）のプラグＰＬＧが接続されていない状態において、端子（マイク入力端子）２９を介してノイズが入力された場合に、そのノイズに基づく音声入力ラインＬＮ１の電圧変動に起因して、電圧検出回路５３ＢがプラグＰＬＧが接続されていると誤検出するといった事態を未然に防止し得るようになされている。
【００８７】
一方、スイッチ素子５３Ｃが閉状態、つまり音声入力モードの状態の場合、携帯音楽プレーヤ１における電圧源から供給される電圧は、抵抗５３Ａと、調整抵抗ＲＸにより分圧されて、マイクロホンＭＣ１に対する基準電圧となり、マイクロホンＭＣ１から端子（マイク入力端子）２９を介して入力される音声信号は、音声入力ラインＬＮ１を介してノイズキャンセリング信号生成部５４Ｂに送出される。
【００８８】
このようにプラグ検出部５３は、検出モードのときには、音声入力ラインＬＮ１を、ノイズキャンセリング対応のイヤホン（又はヘッドホン）のプラグＰＬＧにおける接続の有無を検出するラインとして用いることができるようになされている。
【００８９】
（３−３）モード切換処理
上述の検出モードと、音声入力モードとのモード切り換えは制御部５０により実行される。ここで、この制御部５０によるモード切換処理手順を、図１６に示すフローチャートを用いて説明する。
【００９０】
すなわち制御部５０は、電源が投入されると、このモード切換処理手順ＲＴを開始し、ステップＳＰ１において、プラグ検出部５３のスイッチ素子５３Ｃ（図１５）を開状態に切り換えることにより、音声入力ラインＬＮ１（図１５）を、ノイズキャンセリング対応のイヤホン（又はヘッドホン）のプラグＰＬＧにおける接続の有無を検出するラインとして、当該プラグＰＬＧの検出をプラグ検出部５３に行わせる（検出モード）。
【００９１】
この後、制御部５０は、ステップＳＰ２に進んで、プラグ検出部５３の電圧検出回路５３Ｂ（図１５）から、当該プラグＰＬＧの接続通知を待ち受ける。
【００９２】
この接続通知データＤ２を受けた場合、制御部５０は、次のステップＳＰ３に進んで、図１４に示したように、表示部ＤＰの表示画面の所定位置に、ノイズキャンセリング対応のイヤホン（又はヘッドホン）が接続されていることを表す図形ＡＣ４を、当該図形ＡＣ４以外の文字及び図形とは異なる色で表示することにより、ユーザに対して、ノイズキャンセリング対応のイヤホン（又はヘッドホン）が接続されている状態であることを着目させる。
【００９３】
そして制御部５０は、続くステップＳＰ４において、操作部５１（図１３）から、データ記憶媒体５２に記憶されたディジタルオーディオ信号Ｄ１の再生コマンドを待ち受け、該再生コマンドを受けた場合には、次のステップＳＰ５に進んで、プラグ検出部５３のスイッチ素子５３Ｃ（図１５）を開状態に切り換えることにより、音声入力ラインＬＮ１から音声信号の入力を開始させる（音声入力モード）。この場合、プラグ検出部５３による検出処理は停止することとなる。
【００９４】
この後、制御部５０は、ステップＳＰ６に進んで、ＤＳＰ５４Ａ（図１３）に対して初期設定された第２のフィルタ係数（ノイズキャンセリングモード非対応の周波数特性でなるフィルタ係数）を、第１のフィルタ係数（ノイズキャンセリングモード対応の周波数特性でなるフィルタ係数）に再設定し、このモード切換処理手順ＲＴを終了する。
【００９５】
このようにして制御部５０は、検出モードから音声入力モードにモードを切り換えることができるようになされている。
【００９６】
（４）本実施の形態による動作及び効果
以上の構成において、この携帯音楽プレーヤ１には、図１５に示したように、多極プラグＰＬＧに対応するジャックＪＡＫに配された複数のコネクタ端子２６、２７、２８、２９、３０（例えば図９及び図１０）のうち、マイクロホンＭＣ１が接続される一のプラグ端子に対応するコネクタ端子２９に結線された音声入力ラインＬＮ１と、該音声入力ラインＬＮ１を介してマイクロホンＭＣ１に電圧を供給する電圧供給ラインＬＮ２との間に、抵抗５３Ａが設けられている。
【００９７】
また、この携帯音楽プレーヤ１には、音声入力ラインＬＮ１における電圧変化により、ノイズキャンセリング対応のイヤホン（又はヘッドホン）のプラグＰＬＧにおける接続の有無を検出する電圧検出回路５３Ｂが、音声入力ラインＬＮ１に結線されているとともに、抵抗５３Ａの電圧供給ラインＬＮ２側の接続点Ｐ１と、電圧供給ラインＬＮ２上に配された調整抵抗ＲＸとの間に、スイッチ５３Ｃが設けられている。
【００９８】
そして携帯音楽プレーヤ１は、電圧検出回路５３Ｂから、ノイズキャンセリング対応のイヤホン（又はヘッドホン）のプラグＰＬＧが接続されている通知があり、かつ、操作部５１から再生コマンドを受けるまでは、スイッチ５３Ｃを閉じておくようにする。
【００９９】
したがって、この携帯音楽プレーヤ１は、スイッチが開状態のときには、電圧検出回路５３Ｂにより、電圧供給ラインＬＮ２から抵抗５３Ａを介して音声入力ラインＬＮ１に供給される電圧の電圧変化により多極プラグＰＬＧの接続の有無を検出することができる。
【０１００】
一方、携帯音楽プレーヤ１は、スイッチが閉状態のときには、電圧供給ラインＬＮ２から供給される電圧を、抵抗５３Ａ及び調整抵抗ＲＸの分圧により基準電圧として、マイクロホンＭＣ１に供給するとともに、該マイクロホンＭＣ１から供給される音声信号を入力することができるようになる。
【０１０１】
つまり、この携帯音楽プレーヤ１は、電圧供給ラインＬＮ２を、ノイズキャンセリング対応のイヤホン（又はヘッドホン）のプラグＰＬＧにおける接続の有無を検出するラインとして共用することができる。
【０１０２】
以上の構成によれば、電圧供給ラインＬＮ２を、ノイズキャンセリング対応のイヤホン（又はヘッドホン）のプラグＰＬＧにおける接続の有無を検出するラインとして共用できるようにしたことにより、独立した接続検出用の端子を多極プラグに別途を設けることなく、当該プラグＰＬＧを検出することができ、かくして小型化し得る携帯音楽プレーヤ１を実現できる。
【０１０３】
（５）他の実施の形態
上述の実施の形態においては、標準ミニプラグ規格のプラグＰＬＧ及びジャックＪＡＫを採用するようにした場合について述べたが、本発明はこれに限らず、この規格以外のピンプラグ及びピンジャックを採用してもよく、また、ピン形式以外のコネクタを採用するようにしてもよい。
【０１０４】
なお、上述のプラグＰＬＧにおける各端子の割り当てを、先端側から左（又は右）スピーカ、右（又は左）スピーカ、グランド、左（又は右）マイク及び右（又は左）マイクとしたが（例えば図２）、本発明はこれに限らず、これ以外の割り当て態様であってもよい。ちなみに、ジャックＰＬＧにおける各端子の割り当てについても同様である。
【０１０５】
また上述の実施の形態においては、ノイズキャンセリング対応のイヤホン（又はヘッドホン）のプラグＰＬＧが接続されている通知があり、かつ、操作部５１から再生コマンドを受けたときに、スイッチ５３Ｃ（図１５）を閉じるようにした場合について述べたが、本発明はこれに限らず、当該通知があったときに閉じるようにしてもよい。このようにすれば、再生中にプラグＰＬＧが接続された場合であっても、該プラグＰＬＧの対応する端子に、ノイズキャンセル後の再生音を迅速に出力することができる。
【０１０６】
なお、この場合、上述の実施の形態のように、ジャックＪＡＫに配された左右のマイクに対応するコネクタ端子２９、３０のうち、該ジャックＪＡＫのプラグ挿入孔２４ａ（図８）に近いほうに配置される端子２９に結線される音声入力ラインＬＮ１の電圧変化により、ノイズキャンセリング対応のイヤホン（又はヘッドホン）のプラグＰＬＧにおける接続の有無を検出するようにすれば、プラグ挿入孔２４ａ（図８）に遠いほうに配置される端子３０に結線される音声入力ラインの電圧変化から検出する場合に比して速く検出できるため、より有用となる。
【０１０７】
さらに上述の実施の形態においては、マイクロホンＭＣ１が接続される一のプラグ端子１７に対応する端子２９に結線された音声入力ラインの電圧変化を監視するようにした場合について述べたが、本発明はこれに限らず、例えば、カメラが接続される一のプラグ端子に対応する端子に結線された映像入力ラインの電圧変化を監視するようにてもよい。要は、入力デバイスが接続される一のプラグ端子に対応するコネクタ端子に結線された信号入力ラインであれば本発明を適用することができる。
【０１０８】
さらに上述の実施の形態においては、制御部５０がＲＯＭに格納されたプログラムをＲＡＭ上に展開し、そのプログラムに従って、モード切換処理（図１６）を実行するようにした場合について述べたが、本発明はこれに限らず、ＣＤ(Compact Disc)、ＤＶＤ(Digital Versatile Disc)、半導体メモリ等の記録媒体からインストールしたプログラムや、インターネットからダウンロードしたプログラムに従ってモード切換処理を実行するようにしても良い。
【０１０９】
さらに上述の実施の形態においては、携帯音楽プレーヤ１を適用するようにした場合について述べたが、本発明はこれに限らず、例えば、ＤＶＤプレーヤ、ＭＤ(Mini Disk)プレーヤ、ＣＤプレーヤ、ディジタルカメラ、携帯電話機、ＰＤＡ(Personal Digital Assistants)、ビデオカメラ又はテレビジョン受信機等、入力デバイスを有するプラグに対応するコネクタを有するこの他種々の装置を適用することができる。
【産業上の利用可能性】
【０１１０】
本発明は、入力デバイスを有するプラグに対応するコネクタを有する装置に利用可能である。
【図面の簡単な説明】
【０１１１】
【図１】携帯音楽プレーヤの外観構成を示す略線図である。
【図２】プラグの拡大斜視図である。
【図３】プラグの拡大側面図である。
【図４】図３とは異なる方向から見た状態で示すプラグの拡大側面図である。
【図５】プラグの拡大断面図である。
【図６】図５とは異なる方向から見た状態で示すプラグの拡大断面図である。
【図７】第４の絶縁体と第５の導体を示す拡大斜視図である。
【図８】ジャックの拡大斜視図である。
【図９】図８のＩＸ−ＩＸ線に沿う断面図である。
【図１０】図８のＸ−Ｘ線に沿う断面図である。
【図１１】プラグがジャックに連結された状態を示す拡大断面図である。
【図１２】図１１とは異なる方向から見た状態でプラグがジャックに連結された状態を示す拡大断面図である。
【図１３】携帯音楽プレーヤの回路構成を示すブロック図である。
【図１４】表示画面例を示す略線図である。
【図１５】プラグ検出部の構成を示す略線図である。
【図１６】モード切換処理手順を示すフローチャートである。
【符号の説明】
【０１１２】
１……携帯音楽プレーヤ、５０……制御部、５１……操作部、５２……データ記憶部、５３……プラグ検出部、５３Ａ……抵抗、５３Ｂ……電圧検出回路、５３Ｃ……スイッチ素子、５４……信号処理部、５４Ａ……ＤＳＰ、５４Ｂ……ノイズキャンセリング信号生成部、５４Ｃ……合成部、５４Ｄ……信号増幅部、ＤＰ……表示部、ＡＣ１〜ＡＣ４……図形、ＥＰ１、ＥＰ２……マイク付イヤホン、ＭＣ１、ＭＣ２……マイクロホン、ＳＫ１、ＳＫ２……スピーカ、ＪＡＫ……ジャック、ＰＬＧ……プラグ、ＲＴ１……モード切換処理手順。
【図１】
2008091255.tif 000003
【図２】
2008091255.tif 000004
【図３】
2008091255.tif 000005
【図４】
2008091255.tif 000006
【図５】
2008091255.tif 000007
【図６】
2008091255.tif 000008
【図７】
2008091255.tif 000009
【図８】
2008091255.tif 000010
【図９】
2008091255.tif 000011
【図１０】
2008091255.tif 000012
【図１１】
2008091255.tif 000013
【図１２】
2008091255.tif 000014
【図１３】
2008091255.tif 000015
【図１４】
2008091255.tif 000016
【図１５】
2008091255.tif 000017
【図１６】
2008091255.tif 000018